(57)【特許請求の範囲】
【請求項１】
ロッドをパネルに回動可能に取り付けるロッド保持具であって、
前記パネルに設けられた取付孔に固定されるベース部材と、前記ベース部材に組み付けられてロッドの基端を取り付ける保持部材とで構成され、
前記ベース部材が、前記パネル上に当接する板部、及び該板部に下設されて前記取付孔に係合される略筒形の脚部を有し、
前記保持部材が、前記脚部の筒内に入れられて抜け止めされる係合軸部、及び該係合軸部上に突出されて前記ロッドの基端を掛け止める連結部を有し、
前記ロッドが前記パネルに対し、前記連結部に掛け止められた基端を支点として略上下方向に回動され、かつ前記係合軸部と前記脚部との係合を介し略水平方向に回動されることを特徴とするロッド保持具。
【請求項２】
前記ベース部材は、前記板部に延長形成された板延長部と、該板延長部に下設されて前記パネルに設けられた対応する取付孔に回動不能に係合される補強脚部とを有している請求項１に記載のロッド保持具。
【請求項３】
前記ベース部材と前記保持部材の対向する箇所に設けられて、前記保持部材のベース部材に対する回動範囲を規制する回動規制手段を有している請求項１又は２に記載のロッド保持具。
【請求項４】
前記回動規制手段は、前記板部に設けられた係止突部及び前記係合軸部と連結部との間に設けられた当接片部からなる請求項３に記載のロッド保持具。
【請求項５】
前記係合軸部に設けられた突起を、前記脚部の側面に設けられた窓部に係合することにより、前記保持部材が前記ベース部材に抜け止めされ、かつ該ベース部材に対する回動範囲を当該窓部の大きさに応じ規制する請求項１から４の何れかに記載のロッド保持具。
【請求項６】
前記ロッド基端は略Ｕ形のフック部に形成され、前記連結部は該ロッド外径に応じた孔径の貫通孔で、かつ該貫通孔が一方側から他方側に向けて傾斜した状態に設けられている請求項１から５の何れかに記載のロッド保持具。
【発明の詳細な説明】
【０００１】
【発明の属する技術分野】
本発明は、パネルにロッドを回動可能に取り付ける場合に好適なロッド保持具に関する。
【０００２】
【従来の技術】
図８は乗用車の開閉体であるフロント側フードを全開した状態で示している。このフード１は、エンジンルームＭを開閉するもので、ヒンジ部材３により車体２側に取り付けられていて、通常はロック装置４（例えば、特開平６−２２１４０４１号に記載の如くフード１側のストライカ４ａと車体２側のロック本体４ｂ等）により車体２にロックされている。そして、ロック装置４の解錠によりヒンジ部材３を支点として開作動され、その全開状態がロッド５により保持される。このロッド５は、基端５ａがフード１の内面（インナパネル）に回動可能に取り付けられ、先端５ｂが自由端となっている。非使用時には、ロッド５がインナパネルに沿って配置され、先端５ｂ側をインナパネルに付設されたブラケット６Ａ（の係止孔等）に着脱可能に係止し邪魔にならないよう収納される。使用時には、先端５ｂが基端５ａを支点として下側へ回動されて、車体２の開口縁部２ａに設けられたブラケット６Ｂ（の係止孔等）に係止した状態でフード１を全開状態に保持する。なお、フード１の開閉方式には、フード１が前開き式ではなく後開き式に設けられることもある。ロッド取付方式には、特開平６−２７８６５７号の如くロッド５の基端５ａを開口縁部２ａに取り付け、先端５ｂを上側へ回動してインナパネル側に着脱可能に係止することもある。
【０００３】
図９は前記ロッドの従来取付構造の２例を示している。同（ａ）の構造は、フード１のインナパネル１Ａをプレス成形する際に突出部７及び取付孔を形成しておき、基端５ａが前記取付孔に対し保持具８Ａを介装して回動可能に取り付けられる。図中の符号１Ｂはアウタパネル、符号１Ｃは補強板である。同（ｂ）の構造は、インナパネル１Ａの一部に切欠部１ｄを形成すると共に、ボルト等にて固定されたブラケット９の取付部を切欠部１ｄから突出配置し、基端５ａが前記取付部の取付孔に対し保持具８Ｂを介装して回動可能に取り付けられる。
【０００４】
【発明が解決しようとする課題】
上記従来のロッド取付構造は、何れもがインナパネル１Ａへの複雑な加工を必要とし、加えて、ロッド配置箇所的な制約を受けるという問題がある。即ち、従来構造では、ロッド５の回動方向が上下方向に限られるため、図８の使用態様と図９の収納態様とにおける先端５ｂの係止箇所、つまり上記ブラケット６Ａ，６Ｂ等の設置部が一義的に決まっていまうことに起因し、設計上の自由度に欠けるものとなっている。
【０００５】
本発明の目的は、ロッド保持具を工夫することにより、パネル側への取付操作性に優れ、上記した設計自由度を拡大することにある。他の目的は以下に説明する内容の中で順次明らかにして行く。
【０００６】
【課題を解決するための手段】
上記目的を達成するため本発明は、図１から図８に例示される如く、ロッド５をパネル１（インナパネル１Ａ）に回動可能に取り付けるロッド保持具であって、前記パネル１に設けられた取付孔１ｅに固定されるベース部材１０と、前記ベース部材１０に組み付けられてロッド５の基端５ａを取り付ける保持部材２０とで構成され、前記ベース部材１０が前記パネル１（インナパネル１Ａ）上に当接する板部１１Ａ、及び該板部１１Ａに下設されて前記取付孔１ｅに係合される略筒形の脚部１２を有し、前記保持部材２０が前記脚部１２の筒内に入れられて抜け止めされる係合軸部２１、及び該係合軸部２１上に突出されて前記ロッド５の基端５ａを掛け止める連結部２３を有し、前記ロッド５が前記パネル１（インナパネル１Ａ）に対し、前記連結部２３に掛け止められた基端５ａを支点として略上下方向に回動され、かつ前記係合軸部２１と前記脚部１２との係合を介し略水平方向に回動されるようにしたものである。
【０００７】
以上の本発明において、ロッド５としては、シャフトやアーム等と表現することも可能であり、要は剛性棒状となっていて、パネルに対し回動可能に取り付けられるものが対象となる。その例としては、車体２のフード１やトランクリッド等の開閉体を全開状態に保持する支持用ロッドが挙げられる。その場合、本発明のロッド保持具は、車体の開口縁部２ａ又は前記開閉体の何れか一方側に取り付けられることになる。
そして、このロッド保持具は、保持部材２０がベース部材１０に対し係合軸部２１の脚部１２への挿入により組み付けられると共に、ベース部材１０がパネル１（インナパネル１Ａ）の取付孔１ｅに対し脚部１２の押し込め操作により取り付けられるため、取付操作性に優れ、同時に、ロッド５を略上下方向と略水平方向との２方向に回動可能に取り付けることを容易に実現できる。これにより、この構造では、図９の各従来例に対し、パネル１（インナパネル１Ａ）の加工を簡易化でき、ロッド先端５ｂの係止箇所の自由度も拡大でき、しかも以下のような展開を可能にする。
【０００８】
以上の本発明は必要に応じ請求項２〜６の如く展開される。
第１に、前記ベース部材１０は、前記板部１１Ａに延長形成された板延長部１１Ｂと、該板延長部１１Ｂに下設されて前記パネル１（インナパネル１Ａ）に設けられた対応する取付孔１ｆに回動不能に係合される補強脚部１５とを有している構成である。これは、ベース部材１０がパネル１（インナパネル１Ａ）に対し板部１１Ａ及び板延長部１１Ｂで面的により安定当接され、脚部１２及び補強脚部１５の２箇所で強固に抜け止めされるため、ベース部材１０の取付強度を増大したいときに好適となる。
第２に、前記ベース部材１０と前記保持部材２０の対向する箇所に設けられて、前記保持部材２０のベース部材１０に対する回動範囲を規制する回動規制手段３０を有している構成である。これは、保持部材２０の水平方向の回動範囲を回動規制手段３０により、簡単に規制して、ロッド５を最も使い易い態様で組み込むことを可能にする。
第３に、回動規制手段３０は、前記板部１１Ａに設けられた係止突部１４Ａ，１４Ｂ及び前記係合軸部２１と連結部２３との間に設けられた当接片部２２からなる構成である。これ場合は、係止突起１４Ａ，１４Ｂ及び当接片部２２の何れもが対応部に一体に形成容易なため簡易に実現される。この変形例としては、前記係合軸部２１に設けられた突起３５ａを、脚部１２の側面に設けられた窓部３３に係合することにより、前記保持部材２０が前記ベース部材１０に抜け止めされ、かつ該ベース部材１０に対する回動範囲を当該窓部３３の大きさに応じ規制する構成である。この場合は、例えば、回動規制手段となる突起３５ａ及び窓部３３が目視されず、同時に、パネル１（インナパネル１Ａ）の取付孔１ｅに挿入される係合軸部２１の突出量を抑えたい仕様に好適となる。
第４に、前記ロッド基端５ａは略Ｕ形のフック部に設けられ、前記連結部２３は該ロッド外径に応じた孔径の貫通孔２７で、かつ該貫通孔２７が一方２７ａ側から他方２７ｂ側に向けて傾斜した状態に形成されている構成である。これは、貫通孔２７が傾斜状態に形成されることにより、基端５ａの差し込み側を分かり易くして誤操作を防ぐだけではなく、形態例の如く基端５ａの不用意な抜けを防ぐ上からも有効となる。
【０００９】
【発明の実施の形態】
以下、実施の形態として、図１〜図５の第１形態と、図６及び図７の第２形態により本発明の構造特徴を明らかにする。なお、各形態のロッド保持具は、図８に例示した如く開閉体であるフード１を全開状態に保持する支持用ロッド５に好適なものであり、ロッド基端５ａをフード１側に回動可能に取り付けるときに使用される例である。従って、フード１自体は図８及び図９と同じくしている。即ち、フード１は、インナパネル１Ａ及びアウタパネル１Ｂと、両パネル１Ａ，１Ｂの間にあって荷重を強く受ける部分に介在される補強板１Ｃとから構成されており、ロック装置４により車体２側にロックされたり、全開状態がロッド５により保持される。また、インナパネル１Ａと車体２の開口縁部２ａには、ロッド５の先端５ｂを着脱可能に係合するブラケット６Ａ，６Ｂ等が付設されている。
【００１０】
（第１形態）図１はロッド保持具を構成しているベース部材と保持部材との関係を示す外観図、図２は前記ロッド保持具を使用してロッドをパネル側に取り付けた状態を示す模式作動図である。図３は図２のロッド保持具を天地逆転しかつロッドを省略した状態で示し、同（ａ）は図２の下側から見た図、同（ｂ）は側面図、同（ｃ）は（ａ）の右端面図である。図４はロッド保持具のベース部材単品を示し、同（ａ）は上面図、同（ｂ）は側面図、同（ｃ）は下面図、同（ｄ）は（ｂ）のＣ−Ｃ線断面図、同（ｅ）は（ｂ）のＤ−Ｄ線断面図、同（ｆ）は（ａ）のＢ−Ｂ線断面図である。図５はロッド保持具の保持部材単品を示し、同（ａ）は正面図、同（ｂ）は右側面図、同（ｃ）は下面図、同（ｄ）は（ａ）のＥ−Ｅ線断面図、同（ｅ）は（ａ）のＦ−Ｆ線に沿った下側の部分拡大図、同（ｆ）は（ｂ）のＧ−Ｇ線に沿った上側の部分拡大図である。これら図において、このロッド保持具は、何れもがプラスチック製の射出成形品であるベース部材１０及び保持部材２０から構成されている。
【００１１】
（ベース部材）このベース部材１０は、図１及び図４の如くパネル取付面に沿って配置される当接板部１１と、当接板部１１の下面に突出された脚部１２及び補強脚部１５と、当接板部１１の上面に設けられた係止突部１４Ａ，１４Ｂとを一体に形成している。当接板部１１は、本体となる板部１１Ａの一端側に板延長部１１Ｂを形成した状態となっている。板部１１Ａの上面には略中央に略矩形の貫通孔１１ｃが脚部１２に対応し、板延長部１１Ｂの上面には端部側に略矩形の貫通孔１１ｄが補強脚部１５に対応してぞれぞれ開口されている。係止突部１４Ａ，１４Ｂは板部１１Ａ上にあって貫通孔１１ｃの両側に位置している。そのうち、係止突起１４Ａは、板部１１Ａの円弧状になった端部側に突設されて、内側に位置する係止面１４ｃ及び該係止面１４ｃから外周側へ斜めに延びる係止面１４ｄを形成している。係止突起１４Ｂは、板部１１Ａと板延長部１１Ｂとを区画するように板部１１Ａ上に突設されて、前記係止面１４ｃと平行となる係止面１４ｅ及び係止面１４ｄと平行となる係止面１４ｆを形成している。なお、符号１３は係止突部１４Ａ，１４Ｂに設けられた窪み部である。
【００１２】
脚部１２は、板部１１Ａの下面から略矩形の筒形に設けられ、対向した２つの弾性係止片１６を有している。各弾性係止片１６は図４（ｄ），（ｆ）の如く脚部１２を形成している筒面１２ａに貫通孔１１ｃと通じる２本の上下スリット１７を介し区画され、先端外側へ突出した抜け止め用の爪部１６ａを有している。補強脚部１５は、板延長部１１Ｂの下面から略矩形の有底筒形に設けられ、対向した２つの弾性係止片１８を有している。この補強脚部１５は脚部１２と比較して突出量が小さく、有底となっている。また、各弾性係止片１８は、図４（ｂ），（ｅ）の如く補強脚部１５を形成している筒面１５ａに対し貫通孔１１ｄに通じる２本の上下スリット１９を介し区画され、先端外側へ突出した抜け止め用の爪部１８ａを有している。
【００１３】
（保持部材）この保持部材２０は、図１及び図５の如く脚部１２の筒内に挿入される係合軸部２１と、その上の当接片部２２と、その上の連結部２３とを一体に形成している。係合軸部２１は、当接片部２２の下面から突出されて、途中までが図５（ｄ）の柱状形状となった軸部２４ａと、軸部２４ａの先端に形成された筒形の胴部２４ｂとからなる。軸部２４ａは脚部１２の長さに対応している。胴部２４ｂには、２つの弾性片２５がそれぞれ略コ形のスリット２６により区画形成されている。各弾性片２５は、下から上に行くにしたがって次第に外に突出していて、該突出端に形成された突起２５ａを有している。
【００１４】
当接片部２２は、全体が板部１１Ａに収まる大きさの矩形に形成されており、矩形の対向する端面２２ａ，２２ｂが前記した係止面１４ｃ，１４ｅ同士の間、係止面１４ｄ，１４ｆ同士の間に収まるようになっている。そして、保持部材２０は、図３（ａ）の実線に示す如く当接片部２２の端面２２ａ，２２ｂが係止面１４ｃ，１４ｅの間に挟まれた状態から、想像線に示す如く端面２２ａ，２２ｂが係止面１４ｄ，１４ｆに当たるまでベース部材１０に対し回動される。即ち、当接片部２２と係止突起１４Ａ，１４Ｂとは、後述する如く保持部材２０のベース部材１０に対する回動範囲を規制する回動規制手段３０を構成している。
【００１５】
連結部２３は、当接片部２２の上面に略Ｕ形に突出形成され、Ｕ形を形成している両片が端面２２ａ，２２ｂ側に位置している。内側の貫通孔２７は、図５（ｆ）の如く一方２７ａ側から他方２７ｂ側に向け次第に上向きとなるよう傾斜した上下傾斜面２８ａ，２８ｂを有し、かつ、下傾斜面２８ｂにおける他方２７ｂ側の出口付近が平坦面２８ｃに形成されている。上下傾斜面２８ａ，２８ｂ同士の間の寸法ｔ1は用いられるロッド５の外径よりも若干（０．２〜０．４ｍｍ）大きく、一方２７ａ側に位置する上傾斜面２８ａの最下部分と他方２７ｂ側に位置する平坦面２８ｃとで形成される最小寸法ｔ2がロッド５の外径とほぼ同じく設定されている。この理由は後述する。
【００１６】
（ロッド保持具の使用例）以上のロッド保持具は、通常、保持部材２０がベース部材１０に組み付けられた状態から、図２の如く取付面であるインナパネル１Ａに取り付けられる。勿論、構造的には、ベース部材１０をインナパネル１Ａに取り付けた後、保持部材２０をベース部材１０に組み付けることも可能である。
保持部材２０をベース部材１０に組み付ける場合は、図１の如く係合軸部２１を貫通孔１１ｃの中心部に押し込める。すると、係合軸部２１は、弾性片２５を縮径方向に弾性変位しつつ脚部１２の筒内を挿通し、突起２５ａが脚部１２の先端から外へ突出されたとき、弾性片２５が元の状態に復元される結果、図２の如く突起２５ａにより抜け止めされる。これにより、保持部材２０はベース部材１０に水平方向、つまり図２の矢印Ｘ方向に回動可能に組み付けられる。但し、この回動範囲は、前記した回動規制手段３０により所定角に規制される。
【００１７】
また、インナパネル１Ａには、脚部１２及び補強脚部１５に対応したそれぞれ矩形の取付孔１ｅ，１ｆが開口形成されている。そして、インナパネル１Ａへの取付操作では、脚部１２と補強脚部１５とをインナパネル１Ａの対応する取付孔１ｅ，１ｆに対向させた後、当接板部１１をインナパネル１Ａに当接する方向に全体を強く押す。すると、脚部１２は、図２の如く取付孔１ｅに挿入される過程で弾性係止片１６を内側へ弾性的に撓ませ、完全に挿通されたときに弾性復元して爪部１６ａにより抜け止めされる。同時に、補強脚部１５は、取付孔１ｆに挿入される過程で弾性係止片１８を内側へ弾性的に撓ませ、完全に挿通されたときに弾性復元して爪部１８ａにより抜け止めされる。この構造では、ベース部材１０が脚部１２及び補強脚部１５の２箇所で強固に固定されることに加え、弾性係止片１６と弾性係止片１８とが略９０度づつずらされることにより、インナパネル１Ａに対する固定状態、つまり固定強度を安定維持できる。
【００１８】
（ロッド保持具の主作動）以上のロッド保持具にはロッド５が連結部２３に取り付けられる。ここでのロッド５は、剛性で丸形棒材であり、基端５ａがＵ形のフック部に折り曲げられている。そして、基端５ａは、図５（ｆ）において、貫通孔２７の一端２７ａ側から他端２７ｂ側にＵ形の先端を押し込むと、Ｕ形の屈曲部５ｃが上下傾斜面２８ａ，２８ｂの間に少しだけ入り込んだ後、上傾斜面２８ａと平坦面２７ｂとの間で抵抗を受けながら図２の状態に掛け止めされる。基端５ａは図２の掛け止め状態において、Ｕ形の屈曲部５ｃが前記最小寸法ｔ2の間に挟み込まれているため、貫通孔２７から不用意に抜け出さない。また、取り付けられたロッド５は、上記したように脚部１２と係合軸部２１との係合を介しベース部材１０に対し水平方向、つまり図２の矢印Ｘ方向に上記した回動規制手段３０で許容される角度だけ回動可能になっており、かつ、図２のＹ方向つまり上下方向に回動枢支される。
【００１９】
なお、この構造では、基端５ａが他端２７ｂ側から一端２７ａ側にＵ形の先端を押し込まれると、Ｕ形の屈曲部５ｃより先端側が上傾斜面２８ａと平坦面２７ｂとの間に入り込むが、屈曲部５ｃが平坦面２７ｂに当たり、過剰の押し込め力により挿入操作しないとそれ以上挿入できないよう工夫されている。この利点は、ロッド５（基端５ａ）の取付方向（一端２７ａ側から挿入するのか、他端２７ｂ側から挿入するのか）を明瞭化して誤操作を防ぐことができ、同時に、基端５ａが貫通孔２７に一旦掛け止めされると不用意な外れを防ぐ上でも有効となる。
【００２０】
従って、このロッド保持具を使用した場合には次のような利点が具備できる。
ア）図８において、ロッド５は上下（Ｙ）方向と共に、水平（Ｘ）方向に所定角だけ回動されるため、先端５ｂを係脱可能に係止するフード１側の箇所、及び開口縁部２ａ側の箇所が水平方向に回動される分だけ任意に決めることが可能となり、従来構造に対し先端５ｂを係脱するブラケット６Ａ，６Ｂ等の設置部の自由度を拡大できる。
イ）インナパネル１Ａへの加工は取付孔１ｅ，１ｆを設けるだけでよいため、簡略化できる。また、ロッド保持具は、押し操作により簡単にインナパネル１Ａに固定される。この固定構造では、脚部１２及び補強脚部１５の２箇所で行うため、取付強度が確実に得られることに加え、インナパネル１Ａに加わる荷重を分散できる点からも優れている。
ウ）この種のロッド５は、車種７やフード１等の開閉体に応じて太さ（ロッド径）等が変更される。このロッド保持具では、そのような設計変更に対し、ベース部材１０を共通に使用し、保持部材２０だけを変更することで比較的容易に対応できる。
【００２１】
（第２形態）図６は第２形態のロッド保持具を図１に対応させて示す模式外観図、図７はそのロッド保持具の使用状態を図２に対応させて示す模式作動図である。このロッド保持具では、第１形態のものに対し、インナパネル１Ａに取り付けた状態でパネル裏面側への突出寸法を抑えた点が異なっている。同時に、上記した回動規制手段３０を他の構成で実現する場合の一例を示したものである。なお、図面上には、上記した回動規制手段３０を具備しているが、これは便宜上であり、実際には省略しても差し支えないものである。この説明では、第１形態と同じ部位又は箇所に同じ符号を付し、異なる構成について専ら詳述する。
【００２２】
図のロッド保持具では、第１形態のものに対し、ベース部材１０の脚部１２と、それに対応する保持部材２０の係合軸部２１とが変更されている。即ち、板部１１Ａの下面に突設された脚部１２は、略矩形の筒形に設けられ、上記した対向面に設けられた対の弾性係止片１６と共に、他の対向面に設けられた対の窓部３３を有している。各窓部３３は横に長い矩形状をなし、筒内に連通している。これに対し、当接片部２２の下面に突設された係合軸部２１は、上記した軸部２４ａが省略されて、上記した筒形の胴部２４ｂにより形成されている。また、この胴部２４ｂには、上記した弾性片２５に類似する弾性片３５及び上記突起２５ａに類似する突起３５ａを有している。この突起３５ａは、前記した窓部３３に嵌合し、窓部３３の開口に応じて移動されるようになっている。
【００２３】
そして、保持部材２０のベース部材１０への組み付けは、図６の如く係合軸部２１を貫通孔１１ｃの中心部に押し込めると、係合軸部２１が弾性片３５を縮径方向に弾性変位しつつ脚部１２の筒内に挿入され、突起３５ａが窓部３３内に嵌合されたとき、弾性片３５が元の状態に復元される結果、図７の如く突起３５ａにより抜け止めされる。これにより、保持部材２０はベース部材１０に水平方向、つまり図７の矢印Ｘ方向に回動可能に組み付けられる。但し、この回動範囲は、前記した回動規制手段３０と共に窓部３３の大きさ、つまり突起３５ａが窓部３３を移動して対応する内側面に当たることにより規制される。従って、この構造では、係合軸部２１が脚部１２から突出しない分だけインナパネル１Ａの裏面側への突出量を小さくでき、同時に、前記した回動規制手段３０を省略しても、突起３５ａと窓部３３の関係で回動範囲を規制することができる。このように本発明は、請求項１で特定された技術要素を除いて、必要に応じ種々変更可能なものである。ロッド５の先端５ｂ側については、例えば、径小軸部に形成して、開口縁部２ａやフード１の対応部に設けられた孔部又はブラットの孔部に着脱可能に係止したり、特開平６−２７８６５７号に記載されている様にフック形状にして、ブラケット等に設けられ切欠孔に着脱可能に係止される。
【００２４】
【発明の効果】
以上説明したとおり、本発明のロッド保持具は、ロッドがパネル（インナパネル等）に取り付けられた状態で、保持部材の連結部に掛け止められるロッド基端を支点として略上下方向に回動され、かつ、保持部材側の係合軸部とベース部材側の脚部との係合を介し略水平方向に回動されることから、図９の従来構造に対しパネル側への取付操作性に優れ、上記したロッド配置個所的な制約も受けにくくして設計自由度を拡大できる。
【図面の簡単な説明】
【図１】  本発明形態のロッド保持具を分解した外観図である。
【図２】  上記ロッド保持具を使用したロッド取付状態を示す模式図である。
【図３】  図１のロッド保持具を分解状態から連結した状態で示す図である。
【図４】  上記ロッド保持具のベース部材を示す図である。
【図５】  上記ロッド保持具の保持部材を示す図である。
【図６】  上記ロッド保持具の変形例を図１に対応して示す図である。
【図７】  図６のロッド保持具を図２に対応して示す図である。
【図８】  本発明対象のロッド保持具の用途例を示す模式図である。
【図９】  従来構造例を示す図である。
【符号の説明】
１…フード（開閉体）
１Ａ…インナパネル（１ｅ，１ｆは取付孔）
２ａ…車体の開口縁部
５…ロッド（５ａは基端、５ｂは先端、５ｃは屈曲部）
１０…ベース部材
１１…当接板部（１１Ａは板部、１１Ｂは板延長部）
１２…脚部
１４Ａ，１４Ｂ…係止突部
１５…補強脚部
１６，１８…弾性係止片（１６ａ，１８ａは爪部）
２０…保持部材
２１…係合軸部
２２…当接片部
２３…連結部
２５，３５…弾性片（２５ａ，３５ａは突起）
３０…回動規制手段
３３…窓部
【図１】
0004431799.tif 000002
【図２】
0004431799.tif 000003
【図３】
0004431799.tif 000004
【図４】
0004431799.tif 000005
【図５】
0004431799.tif 000006
【図６】
0004431799.tif 000007
【図７】
0004431799.tif 000008
【図８】
0004431799.tif 000009
【図９】
0004431799.tif 000010